(57)【要約】  【課題】  大量のマイナスイオンを発生させ、また、取り扱いに便利な携帯用マイナスイオン発生装置を提供すること  【解決手段】  マイナスイオン発生装置本体１０１と電源装置１０２とを電線１０３でつないだ携帯用マイナスイオン発生装置であって、マイナスイオン発生装置本体１０１は、筐体の内部に電気によりマイナスイオンを発生させるマイナスイオン発生部を備えていることを特徴とする携帯用マイナスイオン発生装置１００を提供する。  【選択図】図１
2005038731.tif 000002
【特許請求の範囲】
【請求項１】
一端に空気の取り入れ口が形成され、他端に空気の排出口が形成されている中空状の筐体と、前記筐体の内部に収納され、電気を使用することによりマイナスイオンを発生させるマイナスイオン発生部と、を備えるマイナスイオン発生装置本体と、
前記マイナスイオン発生部に電気を供給する電源装置と、
前記マイナスイオン発生部と前記電源装置とを連結する電線と、
を有する携帯用マイナスイオン発生装置。
【請求項２】
前記マイナスイオン発生部は、マイナス電極に負極性電圧を印加することで、空気中に電子を放射し、マイナスイオンを発生させるものであることを特徴とする請求項１に記載の携帯用マイナスイオン発生装置。
【請求項３】
前記マイナス電極は、針状に形成されていることを特徴とする請求項２に記載の携帯用マイナスイオン発生装置。
【請求項４】
針状に形成されている前記マイナス電極は、先端が前記排出口の方に向いていることを特徴とする請求項３に記載の携帯用マイナスイオン発生装置。
【請求項５】
前記マイナス電極は、前記筐体内において複数設けられていることを特徴とする請求項２乃至４の何れか一項に記載の携帯用マイナスイオン発生装置。
【請求項６】
前記マイナスイオン発生部は、グランド電極と、前記グランド電極から所定の間隔が空いている放電電極と、からなり、
前記グランド電極と前記放電電極との間でコロナ放電を生じさせることによりマイナスイオンを発生させるものであることを特徴とする請求項１に記載の携帯用マイナスイオン発生装置。
【請求項７】
前記放電電極には、前記グランド電極に向かって延びる放電針が少なくとも一つ以上形成されており、
前記グランド電極には、前記放電針に対向する位置に貫通孔が形成されおり、
前記放電針の先端と前記グランド電極との間には、所定の間隔が空いていることを特徴等する請求項６に記載の携帯用マイナスイオン発生装置。
【請求項８】
前記グランド電極は、前記放電電極に対向する平面を有しており、
前記平面は、前記筐体の内部の通気方向に対して垂直となるようにされていることを特徴とする請求項６又は７に記載のマイナスイオン発生装置。
【請求項９】
前記グランド電極は、前記放電電極に対向する平面を有しており、
前記平面は、前記筐体の内部の通気方向に対して平行となるようにされていることを特徴とする請求項６又は７に記載の携帯用マイナスイオン発生装置。
【請求項１０】
前記マイナスイオン発生部は、前記筐体の内部に複数設けられていることを特徴とする請求項６乃至９の何れか一項に記載の携帯用マイナスイオン発生装置。
【請求項１１】
前記筐体の内部には、前記排出口に対して風を送り出す第一の送風手段が少なくとも一つ設けられており、
前記第一の送風手段は、隣接する前記マイナスイオン発生部の間に配置されていることを特徴とする請求項５又は１０に記載の携帯用マイナスイオン発生装置。
【請求項１２】
前記第一の送風手段は、隣接する前記マイナスイオン発生部の全ての間に設けられていることを特徴とする請求項１１に記載の携帯用マイナスイオン発生装置。
【請求項１３】
前記筐体の内部には、前記排出口に対して風を送り出す第二の送風手段が少なくとも一つ設けられており、
前記マイナスイオン発生部は、前記第二の送風手段と前記排出口との間に配置されていることを特徴とする請求項１乃至１２の何れか一項に記載の携帯用マイナスイオン発生装置。
【請求項１４】
前記電源装置は、電池により起電力を生ずるものであることを特徴とする請求項１乃至１３に記載の携帯用マイナスイオン発生装置。
【請求項１５】
前記筐体は、円筒状に形成されていることを特徴とする請求項１乃至１４の何れか一項に記載の携帯用マイナスイオン発生装置。
【請求項１６】
前記筐体は、任意の位置において垂直方向に湾曲していることを特徴とする請求項１乃至１５の何れか一項に記載の携帯用マイナスイオン発生装置。
【請求項１７】
前記筐体は、前記排出口と前記排出口に最も近い位置にある前記マイナスイオン発生部との間で湾曲していることを特徴とする請求項１６に記載の携帯用マイナスイオン発生装置。
【請求項１８】
前記マイナスイオン発生装置本体は、マスクに対して着脱自在に取り付けることができる取付手段を有することを特徴とする請求項１乃至１７の何れか一項に記載の携帯用マイナスイオン発生装置。
【請求項１９】
前記マスクは、人の口部を覆うマスク本体を有しており、
前記取付手段は、一端がマイナスイオン発生装置本体に固定された四本の紐と、前記紐の他端に取り付けられ、マスク本体の周縁の所定の位置に嵌合するクリップと、を備えていることを特徴とする請求項１８に記載の携帯用マイナスイオン発生装置。
【請求項２０】
人の口部を覆い、前記マイナスイオン発生装置本体を収納することができるポケットが形成されているマスク本体を有するマスクと、請求項１乃至１７の何れか一項に記載の携帯用マイナスイオン発生装置との組み合わせ。
【請求項２１】
人の口部を覆うマスク本体を有するマスクであって、前記マスク本体には、弾性部材からなり、前記マイナスイオン発生装置本体を嵌合することができるリング部材が取り付けられているマスクと、請求項１乃至１７の何れか一項に記載の携帯用マイナスイオン発生装置との組み合わせ。
【発明の詳細な説明】
【技術分野】
【０００１】
本発明は、携帯用マイナスイオン発生装置に関し、特に、電気を利用することによりマイナスイオンを発生させる携帯用マイナスイオン発生装置に関する。
【背景技術】
【０００２】
従来の携帯用マイナスイオン発生装置としては、特許文献１で開示されたものがあった。
【０００３】
図１２に表されているように、特許文献１で開示された携帯用マイナスイオン発生装置８００は、胴体８０１に蓋８０２が取り付けられており、胴体８０１内に電源としての電池８０３を有し、電池８０３の起電力によりファン８０４を回転させ、胴体８０１内に収納されているトルマリン８０５から発生されるマイナスイオンを空気流出口８０６から放出することができるようにされていた。
【特許文献１】特開２０００−１５７６３９号公報
【発明の開示】
【発明が解決しようとする課題】
【０００４】
しかしながら、従来の携帯用マイナスイオン発生装置８００においては、マイナスイオンの発生源としてトルマリンを用いていたため、大量のマイナスイオンを発生させるには限度があった。
【０００５】
また、従来の携帯用マイナスイオン発生装置８００では、胴体８０１内に電源としての電池８０３を有しているため重くなり、取り扱いに不便であった。
【０００６】
そこで、本発明は、より大量のマイナスイオンを発生させ、また、取り扱いに便利な携帯用マイナスイオン発生装置を提供することを目的とする。
【課題を解決するための手段】
【０００７】
以上の課題を解決するため、本発明は、一端に空気の取り入れ口が形成され、他端に空気の排出口が形成されている中空状の筐体と、前記筐体の内部に収納され、電気を使用することによりマイナスイオンを発生させるマイナスイオン発生部と、を備えるマイナスイオン発生装置本体と、前記マイナスイオン発生部に電気を供給する電源装置と、前記マイナスイオン発生部と前記電源装置とを連結する電線と、を有する携帯用マイナスイオン発生装置を提供する。
【０００８】
このように、電気を使用することにより、大量のマイナスイオンを発生させることができるようになる。
【０００９】
また、マイナスイオン発生装置本体と電源装置とを電線により結合しているため、本発明に係る携帯用マイナスイオン発生装置を使用する際には、電源装置をポケット等の所定の場所におき、マイナスイオン発生装置本体のみを取り扱えばよいため、容易に取り扱うことができる。
【００１０】
ここで、マイナスイオン発生部としては、電気を使用するものであればどのようなものであってもよいが、例えば、マイナス電極に負極性電圧を印加し、空気中に電子を放射することにより、マイナスイオンを発生させるいわゆる電子放射方式のものを使うことができる。
【００１１】
ここで、このようないわゆる電子放射方式によりマイナスイオンを発生させる場合には、マイナス電極として針状のものを使用するのが望ましい。
【００１２】
また、マイナス電極として、針状のものを使用する場合には、針状に形成されたマイナス電極の先端が排出口の方に向くようにすることにより、電子の放射方向とマイナスイオンの排出方向とが同一となるため、効率的にマイナスイオンを排出口から放出することができる。
【００１３】
さらに、このようないわゆる電子放射方式のマイナスイオン発生部を使う場合には、マイナス電極を筐体内に複数設けておくことにより、より大量にマイナスイオンを発生させることができる。
【００１４】
また、電気を使用するマイナスイオン発生部として、グランド電極と、このグランド電極から所定の間隔が空いている放電電極と、の間でコロナ放電を生じさせることによりマイナスイオンを発生させるものを使うこともできる。
【００１５】
ここで、本発明に係る放電電極とグランド電極とは、マイナスイオンを発生させることができる限り、どのようなものを用いてもよいが、例えば、放電電極としてグランド電極に向かって延びる放電針が少なくとも一つ以上形成されているものを使用し、また、グランド電極として放電針に対向する位置に貫通孔が形成されているものを使用し、放電針の先端とグランド電極との間に所定の間隔が空いているようにすることにより、コロナ放電が容易に行われ効率的にマイナスイオンを発生させることができるようになる。
【００１６】
ここで、本発明においては、マイナスイオン発生部を筐体の内部に設けることとしたが、この設け方としては、放電電極に対向する平面をグランド電極に形成しておき、この平面が筐体の内部の通気方向に対して垂直となるようにすることができ、また、放電電極に対向する平面をグランド電極に形成しておき、この平面が筐体の内部の通気方向に対して平行となるようにすることもできる。
【００１７】
また、マイナスイオン発生部を、筐体の内部において複数設けておくことにより、大量にマイナスイオンを発生させることができる。
【００１８】
筐体の内部に、筐体の排出口に対して風を送り出す第一の送風手段を少なくとも一つ設けておき、この第一の送風手段は、隣接するマイナスイオン発生部の間に設けるようにすることもできる。
【００１９】
さらに、この第一の送風手段は、隣接するマイナスイオン発生部の全ての間に設けることも可能である。
【００２０】
また、筐体の内部には、筐体の排出口に対して風を送り出す第二の送風手段を少なくとも一つ設けておき、マイナスイオン発生部が、この第二の送風手段と筐体の排出口との間に配置されるようにしておくことで、この第二の送風手段により、マイナスイオン発生部で生じたマイナスイオンが排出口より吹き出されるようになる。
【００２１】
なお、電源装置は、電池により起電力を生ずるものとすることで、携帯に便利となる。
【００２２】
ここで、筐体については、どのような形状であってもよいが、例えば、円筒状に形成することで、マイナスイオン発生装置本体を握る際に握りやすくなる。
【００２３】
また、筐体を任意の位置において垂直方向に湾曲させておくことにより、マイナスイオン発生装置本体を手で握った際に、筐体の排出口を握った人の方に向けることができるようになる。
【００２４】
なお、筐体を湾曲させる位置については、任意の位置を選択することができるものであるが、例えば、排出口とこの排出口に最も近い位置にあるマイナスイオン発生部との間で筐体を湾曲させることができる。
【００２５】
ここで、マイナスイオン発生装置本体には、マスクに対して着脱自在に取り付けることができる取付手段を設けておくことにより、マイナスイオンが含まれた空気をマスクを介して吸うことができるようになる。
【００２６】
この取付手段については、マスクに対して着脱自在に取り付けることができるものであればどのようなものであっても良いが、例えば、人の口部を覆うマスク本体を有するマスクに対して着脱自在に取付けることができるようにするため、取付手段を、一端がマイナスイオン発生装置本体に固定された四本の紐と、前記紐の他端に取り付けられ、マスク本体の周縁の所定の位置に嵌合するクリップと、により構成することができる。
【００２７】
また、本発明は、人の口部を覆い、マイナスイオン発生装置本体を収納することができるポケットが形成されているマスク本体を有するマスクと、請求項１乃至１７の何れか一項に記載の携帯用マイナスイオン発生装置との組み合わせを提供する。
【００２８】
このような組み合わせを提供することにより、マイナスイオンが含まれた空気をマスクを介して吸うことができるようになる。
【００２９】
さらに、本発明は、人の口部を覆うマスク本体を有するマスクであって、前記マスク本体には、弾性部材からなり、前記マイナスイオン発生装置本体を嵌合することができるリング部材が取り付けられているマスクと、請求項１乃至１７の何れか一項に記載の携帯用マイナスイオン発生装置との組み合わせを提供する。
【００３０】
このような組み合わせによっても、マイナスイオンが含まれた空気をマスクを介して吸うことができるようになる。
【発明の効果】
【００３１】
以上のように、本発明に係る携帯用マイナスイオン発生装置を構成したので、電気によりマイナスイオンを発生させるため、大量にマイナスイオンを発生させることができ、また、マイナスイオン発生装置本体と電源装置とを別個に構成し電線でつないでいるため、取り扱いに便利な携帯用マイナスイオン発生装置を提供することができる。
【発明を実施するための最良の形態】
【００３２】
図１は、本発明の第一の実施形態に係る携帯用マイナスイオン発生装置１００の概略構成図である。
【００３３】
本実施形態に係る携帯用マイナスイオン発生装置１００は、マイナスイオン発生装置本体１０１と、電源装置１０２と、電線１０３と、により構成されている。
【００３４】
マイナスイオン発生装置本体１０１は、図２（マイナスイオン発生装置本体１０１の一部断面図）に表されているように、筐体１０４と、マイナスイオン発生部１０５と、により構成されている。
【００３５】
筐体１０４は、中空にされた円筒状に形成されており、その一端には、空気を取り入れる取り入れ口１０７が形成されており、他端には、空気を排出する排出口１０８が形成されている。
【００３６】
取り入れ口１０７には、円筒状に形成されている筐体１０４の中心軸から第一の桟１０９を放射状に形成し、この第一の桟１０９に円形状の第二の桟１１０を掛け渡すことで、筐体１０４の内部にゴミなどが入り込むのを防止している。
【００３７】
また、排出口１０８には、縦桟１１１が掛け渡されていることにより、筐体１０４の内部にゴミ等が入り込まないようにされている。
【００３８】
そして、筐体１０４には、これらの取り入れ口１０７と排出口１０８との間に後述するマイナスイオン発生部１０５を収納することができる中空状の通気空間が形成されている。
【００３９】
マイナスイオン発生部１０５は、マイナス電極１０５ａと、このマイナス電極１０５ａを筐体１０４のほぼ中心部に位置させるためのスペーサー１０５ｂにより形成されている。
【００４０】
マイナス電極１０５ａは、電源装置１０２の陰極に、電線１０３を介して接続されており、この電源装置１０２により、陰極性の高電圧をこのマイナス電極１０５ａに印加することで、マイナス電極１０５ａの先端１０５ｃから、電子が放出されて、周りの酸素や水分と結合してマイナスイオンが生成される。
【００４１】
ここで、マイナス電極１０５ａの形状については、電子を放出することができる範囲で任意に設計することができるが、本実施形態においては、針状に形成されている。
【００４２】
なお、マイナスイオン電極１０５ａの向きについては任意の方向に向くようにすることができるが、本実施形態においては、マイナス電極１０５ａの先端１０５ｃが排出口１０８の方向に向いているため、電子の放出方向と空気の排出方向とが一致し、効率的にマイナスイオンを拡散することができるようにされている。
【００４３】
電源装置１０２の内部には、電池（電源装置１０２の内部にあるため図示せず）が収納されており、電源装置１０２の表面に設けられているスイッチ１１２をＯＮ側に位置させると、電源装置１０２から電線１０３を介してマイナスイオン発生装置本体１０１に電気が供給され、スイッチ１１２をＯＦＦ側に位置させると、電源装置１０２からの電気の供給が止められるようにされている。
【００４４】
ここで、電源装置１０２の内部に収納される電池については、マイナスイオン発生装置本体１０１に電気を供給し、マイナスイオン発生部１０５においてマイナスイオンを発生させることができるものであればどのようなものであってもよく、例えば、ダニエル電池や乾電池のような一次電池、蓄電池のような二次電池、その他に、光電池、燃料電池、太陽電池等どのようなものであってもよい。
【００４５】
電線１０３は、銅の周りを絶縁用の樹脂で覆ったものを用いているが、電源装置１０２からマイナスイオン発生装置本体１０１に電気を送ることができるものであればどのようなものであってもよい。
【００４６】
以上のように、本実施形態に係る携帯用マイナスイオン発生装置１００を構成したので、電源装置１０２のスイッチ１１２をＯＮ側に位置させることにより、電線１０３を介して電気がマイナスイオン発生装置本体１０１に供給され、マイナスイオン発生部１０５に負極性の高電圧が印加されて、電子を放射することにより、マイナスイオンが発生するようになる。
【００４７】
なお、本実施形態においては、マイナスイオン発生部１０５を筐体１０４の内部に二つ設けたが、これらの数については任意の数を選択することが可能である。
【００４８】
図３は、本発明の第二の実施形態に係る携帯用マイナスイオン発生装置に使用されるマイナスイオン発生装置本体２０１の一部断面図である。
【００４９】
本実施形態に係る携帯用マイナスイオン発生装置は、第一の実施形態に係る携帯用マイナスイオン発生装置１００と比べて、マイナスイオン発生装置本体２０１のみが異なるため、以下、マイナスイオン発生装置本体２０１のみについて説明する。
【００５０】
本実施形態に係るマイナスイオン発生装置本体２０１は、筐体１０４と、マイナスイオン発生部１０５と、第一の送風装置１１３と、第二の送風装置１１４と、により構成されている。
【００５１】
ここで、筐体１０４及びマイナスイオン発生部１０５については、第一の実施形態に係るマイナスイオン発生装置本体１０１における筐体１０４とマイナスイオン発生部１０５と同様であるため、説明を省略する。
【００５２】
本実施形態においては、隣接するマイナスイオン発生部１０５同士の間に第一の送風装置１１３が設けられている。
【００５３】
第一の送風装置１１３は、ファン１１３ａと、軸１１３ｂと、軸１１３ｂを中心としてファン１１３ａを回転させるモーター１１３ｃと、により構成されており、モーター１１３ｃは電源装置１０２（図１参照）より動力を得ている。
【００５４】
また、本実施形態においては、第二の送風装置１１４が設けられており、この第二の送風装置１１４は、排出口１０８との間にマイナスイオン発生部１０５が位置するように、すなわち、取り入れ口１０７とこれに隣接するマイナスイオン発生部１０５の間に設けられている。
【００５５】
ここで、第二の送風装置１１４についても、ファン１１４ａと、軸１１４ｂと、軸１１４ｂを中心としてファン１１４ｂを回転させるモーター１１４ｃと、により構成されており、モーター１１４ｃは電源１０２（図１参照）により動力を得ている。
【００５６】
本実施形態においては、このように、第一の送風装置１１３及び第二の送風装置１１４が設けられているため、マイナスイオン発生部１０５により発生されたマイナスイオンを排出口１０８から効率的に拡散することができるようになる。
【００５７】
なお、本実施形態においては、第一の送風装置１１３及び第二の送風装置１１４の両方を設けたが、これらは何れか一方のみでもよく、また、これらを設ける数についても特に制限はなく、任意の数を選択することができる。
【００５８】
図４は、本発明の第三の実施形態に係る携帯用マイナスイオン発生装置に使用されるマイナスイオン発生装置本体３０１の一部断面図である。
【００５９】
本実施形態に係る携帯用マイナスイオン発生装置は、第一の実施形態に係る携帯用マイナスイオン発生装置１００と比べて、マイナスイオン発生装置本体３０１のみが異なるため、以下、マイナスイオン発生装置本体３０１のみについて説明する。
【００６０】
本実施形態に係るマイナスイオン発生装置本体３０１は、筐体１０４と、マイナスイオン発生部３０５と、により構成されている。
【００６１】
ここで、筐体１０４については、第一の実施形態に係るマイナスイオン発生装置本体１０１における筐体１０４と同様であるため、説明を省略する。
【００６２】
本実施形態におけるマイナスイオン発生部３０５は、筐体１０４の排出口１０８側に配置されたグランド電極３０５ｄと、筐体１０４の取り入れ口１０７側に配置された放電電極３０５ｅと、により構成されている。
【００６３】
そして、グランド電極３０５ｄは、板状に形成されており、このグランド電極３０５ｄの放電電極３０５ｅに対向する平面３０５ｆが、筐体１０４の内部の通気方向に対して垂直となるように、筐体１０４の内面１０４ａに溶接されている。
【００６４】
ここで、板状のグランド電極３０５ｄは、放電電極３０５ｅに対向する平面３０５ｆが相互に平行となるように列状に筐体１０４に取り付けられており、これらの板状のグランド電極３０５ｄの間の間隔は、任意の間隔を選択すればよい。
【００６５】
グランド電極３０５ｄには、後述する放電針３０５ｇと対向する位置に貫通孔３０５ｈが設けられているため、この貫通孔３０５ｈを介して筐体１０４の内部の通気を図ることができるようにされている。
【００６６】
ここで、この貫通孔３０５ｇについては、放電針３０５ｇの周りで発生するマイナスイオンを効率的に排出口１０８から排出することができるように、また、放電針３０５ｇの先端３０５ｉからの距離を均一にするため、放電針３０５ｇを中心とした円形に形成している。
【００６７】
また、グランド電極３０５に設けられる貫通孔３０５ｈの位置については、それぞれのグランド電極３０５に設けられている貫通孔３０５ｈの中心が、筐体１０４の取り入れ口１０７から排気口１０８に向かって直線上に配置されるようにすることで、効率的に通気を図ることができる。
【００６８】
また、本実施形態では、一つの放電電極３０５ｅに一つの放電針３０５ｇが設けられているため、グランド電極３０５ｄにも一つの貫通孔３０５ｈが設けられている。
【００６９】
放電電極３０５ｅには、グランド電極３０５ｄに対して延びるように放電針３０５ｇが形成されており、この放電針３０５ｇの先端３０５ｉとグランド電極３０５ｄとの間には所定の間隔が空くようにされている。
【００７０】
放電電極３０５ｅは、電源装置１０２に接続されており、接地されているグランド電極３０５ｄと放電電極３０５ｅとの間に電圧をかけることにより、放電針３０５ｇからグランド電極３０５ｄに向けて電子が拡散されるコロナ放電が生じ、このコロナ放電により放電電極３０５ｅとグランド電極３０５ｄとの間の気体分子や微粒子に電子が飛び込み、マイナスイオンが発生する。
【００７１】
ここで、本実施形態では、マイナスイオン発生部３０５を、筐体１０４の内部に複数設けているため、効率的にマイナスイオンを発生させることができると共に、マイナスイオン発生部３０５を筐体１０４内にコンパクトに収納することができるため、省スペース化が図られる。
【００７２】
なお、本実施形態においては、マイナスイオン発生部３０５を筐体１０４内に二つ設けたが、これらの数については任意に選択することが可能である。
【００７３】
また、本実施形態では、一つの放電電極３０５ｇに一つの放電針３０５ｇを設けたが、この数についても任意に選択することができる。
【００７４】
なお、一つの放電電極３０５ｅに複数の放電針３０５ｇを設ける場合には、グランド電極３０５の放電針３０５ｇに対向する位置に、放電針３０５ｇと同じ数の貫通孔３０５ｈを形成するのが望ましい。
【００７５】
図５は、本発明の第四の実施形態に係る携帯用マイナスイオン発生装置に使用されるマイナスイオン発生装置本体４０１の一部断面図である。
【００７６】
本実施形態に係る携帯用マイナスイオン発生装置は、第一の実施形態に係る携帯用マイナスイオン発生装置１００と比べて、マイナスイオン発生装置本体４０１のみが異なるため、以下、マイナスイオン発生装置本体４０１のみについて説明する。
【００７７】
本実施形態に係るマイナスイオン発生装置本体４０１は、筐体１０４と、マイナスイオン発生部４０５と、により構成されている。
【００７８】
ここで、筐体１０４については、第一の実施形態に係るマイナスイオン発生装置本体１０１における筐体１０４と同様であるため、説明を省略する。
【００７９】
本実施形態におけるマイナスイオン発生部４０５は、第三の実施形態におけるマイナスイオン発生部３０５と同様に、グランド電極４０５ｄと、放電電極４０５ｅと、により構成されているが、第三の実施形態におけるマイナスイオン発生部３０５のグランド電極３０５ｄは、このグランド電極３０５ｄの放電電極３０５ｅに対向する平面３０５ｆが、筐体１０４の内部の通気方向に対して垂直となるようにされているのに対して、本実施形態におけるグランド電極３０５ｄは、放電電極４０５ｅに対向する平面４０５ｆが、筐体１０４の通気方向に対して平行となるようにされている。
【００８０】
このため、このグランド電極４０５ｄが筐体１０４の内部の通気を遮ることがなくなり、円滑に通気を図ることが可能となる。
【００８１】
なお、放電電極４０５ｅに形成されている放電針４０５ｇもグランド電極４０５ｄに対して突出するように形成されているため、筐体１０４の通気方向に対して垂直となる。
【００８２】
また、放電針４０５ｇ及び貫通孔４０５ｈの形状、放電針４０５ｇと貫通孔４０５ｈの位置関係は、上述の第三の実施形態における放電針３０５ｇ及び貫通孔３０５ｈと同様であるため、説明を省略する。
【００８３】
ここで、本実施形態においては、マイナスイオン発生部４０５を筐体１０４内に一つ設けたが、これらの数については任意に選択することが可能である。
【００８４】
また、本実施形態では、一つの放電電極４０５ｇに三つの放電針４０５ｇを設け、また、一つのグランド電極４０５ｄに三つの貫通孔４０５ｈを設けたが、これらの数についても任意に選択することができる。
【００８５】
さらに、本実施形態においても、図３に表されているような、第一の送風装置１１３や第二の送風装置１１４を設けることも可能である。
【００８６】
なお、第一の送風装置１１３を設ける場合には、複数のマイナスイオン発生部１０５を設けておく必要がある。
【００８７】
図６は、本発明の第五の実施形態に係る携帯用マイナスイオン発生装置に使用されるマイナスイオン発生装置本体５０１の一部断面図である。
【００８８】
本実施形態に係る携帯用マイナスイオン発生装置は、第一の実施形態に係る携帯用マイナスイオン発生装置１００と比べて、マイナスイオン発生装置本体５０１のみが異なるため、以下、マイナスイオン発生装置本体５０１のみについて説明する。
【００８９】
本実施形態に係るマイナスイオン発生装置本体５０１は、筐体１０４と、マイナスイオン発生部５０５と、第二の送風装置１１４と、により構成されている。
【００９０】
ここで、筐体１０４については、第一の実施形態に係るマイナスイオン発生装置本体１０１における筐体１０４と同様であるため、説明を省略する。
【００９１】
本実施形態におけるマイナスイオン発生部５０５は、筐体１０４の排出口１０８側に配置されたグランド電極５０５ｄと、筐体１０４の取り入れ口１０７側に配置された放電電極５０５ｅと、により構成されている。
【００９２】
ここで、本実施形態においては、一つの放電電極５０５ｅに二つの放電針５０５ｇが形成されているため、一つのグランド電極５０５ｄにも二つの貫通孔５０５ｉが形成されている。
【００９３】
なお、放電針５０５ｇと貫通孔５０５ｈの形状、位置関係やこれらの配置は、上述の第三の実施形態における放電針３０５ｇ及び貫通孔３０５ｈと同様であるため、説明を省略する。
【００９４】
また、本実施形態においては、第二の送風装置１１４が設けられており、この第二の送風装置１１４は、排出口１０８との間にマイナスイオン発生部５０５が位置するように、すなわち、取り入れ口１０７とこれに隣接するマイナスイオン発生部５０５の間に設けられている。
【００９５】
ここで、第二の送風装置１１４についても、第二の実施形態と同様に、ファン１１４ａと、軸１１４ｂと、軸１１４ｂを中心としてファン１１４ｂを回転させるモーター１１４ｃと、により構成されており、モーター１１４ｃは電源１０２により動力を得ている。
【００９６】
本実施形態においては、このように、一つの放電電極５０５ｅに二つの放電針５０５ｇを設けたため、より大量にマイナスイオンを発生させることができるほか、第二の送風装置１１４が設けられているため、マイナスイオン発生部５０５により発生されたマイナスイオンを排出口１０８から効率的に拡散することができるようになる。
【００９７】
なお、本実施形態においては、一つの放電電極５０５ｅに二つの放電針５０５ｇを設け、また、一つのグランド電極５０５ｄに二つの貫通孔５０５ｈを設けたが、これら放電針５０５ｇ及び貫通孔５０５ｈの数については任意の数を選択することが可能である。
【００９８】
また、本実施形態では、第二の送風装置１１４を一つだけ設けたが、この数に限定されるわけではなく、複数設けることも可能である。
【００９９】
さらに、本実施形態では、第二の送風装置１１４のみを設けたが、図３に表した第二の実施形態におけるマイナスイオン発生装置本体２０１のように、隣接するマイナスイオン発生部５０５同士の間に第一の送風装置１１３を形成することも可能である。
【０１００】
図７は、本発明の第六の実施形態に係る携帯用マイナスイオン発生装置６００の上方斜視図である。
【０１０１】
本実施形態に係る携帯用マイナスイオン発生装置６００は、第一の実施形態に係る携帯用マイナスイオン発生装置１００と比べて、マイナスイオン発生装置本体６０１のみが異なっているため、以下、マイナスイオン発生装置本体６０１のみについて説明する。
【０１０２】
図８（マイナスイオン発生装置本体６０１の縦断面図）に表されているように、本実施形態におけるマイナスイオン発生装置本体６０１についても、筐体６０４と、二つのマイナスイオン発生部３０５と、第二の送風装置１１４と、により構成されている。
【０１０３】
ここで、マイナスイオン発生部３０５は、上述した第三の実施形態におけるマイナスイオン発生装置本体３０１におけるマイナスイオン発生部３０５と同様であり、また、第二の送風装置１１４は、上述した第五の実施形態におけるマイナスイオン発生装置本体４０１における第二の送風装置１１４と同様であるため、説明を省略する。
【０１０４】
なお、放電針３０５ｇ、貫通孔３０５ｈ及びファン１１４ａの軸１１４ｂの軸線を筐体３０４の通気方向に対して平行となり、かつ、それぞれの軸線が直線状に配置されるようにすることにより、ファン１１４ａにより発生された風によりマイナスイオンを効率的に排出することができるようになる。
【０１０５】
図８（マイナスイオン発生装置本体６０１の縦断面図）に表されているように、本実施形態における筐体６０４は、排出口１０８とこれに隣接するマイナスイオン発生部３０５との間において、垂直に湾曲している。
【０１０６】
このように、筐体６０４を垂直方向に湾曲させることにより、筐体６０４の取り入れ口１０７側を手で持った際に、排出口１０８を手で持った人の方に向けることができ、便利である。
【０１０７】
本実施形態におけるマイナスイオン発生装置本体６０１には、不織布等により矩形状に形成されているマスク本体１２１とマスク本体１２１を口に押し当てた状態で耳に引っ掛ける引っ掛け用ゴム輪１２２とからなるマスク１２０（図９参照）に対して着脱自在に取り付けることができる取付手段６１５が設けられている。
【０１０８】
取付手段６１５は、マイナスイオン発生装置本体６０１から四方に延びる紐６１５ａと、この紐６１５ａのそれぞれの先端に取り付けられたクリップ６１５ｂと、紐６１５ａをマイナスイオン発生装置本体６０１に固定する固定用紐６１５ｅと、により構成されている。
【０１０９】
紐６１５ａは、図９に表されているように、不織布等により矩形状に形成されているマスク本体１２１の四隅にクリップ６１５ｂを取り付けた際に、マイナスイオン発生装置本体６０１を中心として、四つの紐６１５ａが弛まない程度の長さに形成する。
【０１１０】
なお、紐６１５ａについては、繊維の他、金属や樹脂により形成することもできる。
【０１１１】
また、クリップ６１５ｂは、弾性を有する金属からなり、横断面がコの字状になるように第一の側壁部６１５ｃの一端と第二の側壁部６１５ｄの一端とを連結し、これらの側壁部６１５ｃ、６１５ｄの他端は解放しておくことで、解放されている他端から第一の側壁６１５ｃと第二の側壁６１５ｄとの間にマスク本体１２１を挟み込むことで、マスク本体１２１に着脱自在に取り付けることができるようにされている。
【０１１２】
なお、このように形成されている取付手段６１５は、マイナスイオン発生装置本体６０１の排出口１０８側に固定用紐６１５ｅを巻き付けることにより固定されている。
【０１１３】
以上のように本実施形態に係る携帯用マイナスイオン発生装置６００を構成したので、図９に表すように、マスク１２０に着脱自在に取り付けることができるようになり、マイナスイオン発生装置本体６０１を取り付けたマスク１２０を介してマイナスイオンを吸い込むことができるようになる。
【０１１４】
また、マイナスイオン発生装置本体６０１と電源装置１０２とが別個に形成されているため、電源装置１０２をポケット等に入れておくことで、実際にマイナスイオンが発生するマイナスイオン発生装置本体６０１を軽くすることができ、便利である。
【０１１５】
なお、本実施形態では、取付手段６１５を、紐６１５ａと、クリップ６１５ｂと、固定用紐６１５ｅと、により構成したが、このような構成に限定されるわけではなく、マスク１２０にマイナスイオン発生装置本体６０１を着脱自在に取り付けることができるものであれば、どのようなものを用いることもできる。
【０１１６】
また、本実施形態では、筐体６０４を、排出口１０８とこれに隣接するマイナスイオン発生部３０５との間において垂直方向に湾曲させたが、この湾曲させる位置については任意の位置を選択することができる。
【０１１７】
図１０は、本発明の第七の実施形態に係るマスク２２０とマイナスイオン発生装置７００の組み合わせ１０００の上方斜視図である。
【０１１８】
なお、本実施形態におけるマイナスイオン発生装置７００においては、図１に記載した電源１０２と同様の電源を使用しているため、図１０では、電源の図示を省略している。
【０１１９】
また、本実施形態におけるマイナスイオン発生装置７００は、取付手段６１５が取り付けられていない点を除いて、第六の実施形態におけるマイナスイオン発生装置６００と同様の構成を有しているため、説明を省略する。
【０１２０】
本実施形態におけるマスク２２０は、不織布等により矩形状に形成されているマスク本体２２１と、マスク本体２２１を口に押し当てた状態で耳に引っ掛ける引っ掛け用ゴム輪１２２と、からなっている。
【０１２１】
ここで、マスク本体２２１の外側の面２２１ａ、すなわち、人の口を覆う面とは反対側の面２２１ａには、ポケット２２３が形成されている。
【０１２２】
ポケット２２３は、マイナスイオン発生装置本体７０１を収納することができる形状・大きさに形成されている。
【０１２３】
以上のように、本実施形態においては、マイナスイオン発生装置本体７０１を収納することができるポケット２２３をマスク本体２２１に設けているため、マスク本体２２１にマイナスイオン発生装置本体７０１を収納した状態で、マスク２２０で人の口を覆うことができるため、このマスク２２１を介してマイナスイオンが含まれた空気を吸うことができるようになる。
【０１２４】
図１１は、本発明の第八の実施形態に係るマスク３２０とマイナスイオン発生装置７００の組み合わせ１１００の上方斜視図である。
【０１２５】
なお、本実施形態においても、図１に記載した電源１０２と同様の電源を使用しているため、図１１でも、電源の図示を省略している。
【０１２６】
ここで、本実施形態におけるマイナスイオン発生装置７００は、第七の実施形態におけるマイナスイオン発生装置７００と同様の構成を有しているため、説明を省略する。
【０１２７】
本実施形態におけるマスク３２０は、不織布等により矩形状に形成されているマスク本体３２１と、マスク本体３２１を口に押し当てた状態で耳に引っ掛ける引っ掛け用ゴム輪１２２と、からなっている。
【０１２８】
ここで、マスク本体３２１の外側の面３２１ａ、すなわち、人の口を覆う面とは反対側の面３２１ａには、ゴムからなるリング部材３２４が取り付けられている。
【０１２９】
リング部材３２４は、マスク本体３２１の四隅から延びる紐３２５によりマスク本体３２１に固定されており、リング部材３２４は、矩形状に形成されているマスク本体３２１のほぼ中央部に位置するようにされている。
【０１３０】
ここで、リング部材３２４の大きさ・形状については、マイナスイオン発生装置本体７０１を嵌め込むことができる程度の大きさ・形状に形成すれば良い。
【０１３１】
本実施形態におけるリング部材３２４は、環状に形成されており、その内周Ｘは、円柱状に形成されているマイナスイオン発生装置本体７０１の外周よりも小さくされているため、このマイナスイオン発生装置本体７０１の外周に嵌めることにより、リング部材３２４はマイナスイオン発生装置本体７０１を固定することができるようにされている。
【０１３２】
なお、リング部材３２４、紐３２５については、本実施形態のように別個に形成することも可能であるが、例えば、弾性を有する金属又は樹脂により一体的に形成することもできる。
【０１３３】
以上のように、本実施形態においては、マイナスイオン発生装置本体７０１を固定することができるリング部材３２４をマスク本体３２１に設けているため、マスク本体３２１にマイナスイオン発生装置本体７０１を固定した状態で、マスク３２０で人の口を覆うことができるため、このマスク３２１を介してマイナスイオンが含まれた空気を吸うことができるようになる。
【０１３４】
以上に記載した実施形態における筐体１０４、２０４、３０４、４０４、５０４、６０４、７０４は、全て円筒形に形成したが、この形状に限られるわけではなく、立方形、長方形等任意の形状に形成することができる。
【図面の簡単な説明】
【０１３５】
【図１】第一の実施形態に係る携帯用マイナスイオン発生装置１００の概略構成図。
【図２】マイナスイオン発生装置本体１０１の一部断面図。
【図３】マイナスイオン発生装置本体２０１の一部断面図。
【図４】マイナスイオン発生装置本体３０１の一部断面図。
【図５】マイナスイオン発生装置本体４０１の一部断面図。
【図６】マイナスイオン発生装置本体５０１の一部断面図。
【図７】第六の実施形態に係る携帯用マイナスイオン発生装置６００の概略構成図。
【図８】マイナスイオン発生装置本体６０１の一部断面図。
【図９】携帯用マイナスイオン発生装置６００の使用例を表す上方斜視図。
【図１０】携帯用マイナスイオン発生装置７００とマスク２２０の組み合わせ１０００を表す上方斜視図。
【図１１】携帯用マイナスイオン発生装置７００とマスク３２０の組み合わせ１０００を表す上方斜視図。
【図１２】従来の携帯用マイナスイオン発生装置７００の一部断面図。
【符号の説明】
【０１３６】
１００、６００  携帯用マイナスイオン発生装置
１０１、２０１、３０１、４０１、５０１、６０１、７０１  マイナスイオン発生装置本体
１０２  電源装置
１０３  電線
１０４、６０４  筐体
１０５  マイナスイオン発生部
１０７  取り入れ口
１０８  排出口
１１３  第一の送風装置
１１４  第二の送風装置
６１５  取付手段
１２０、２２０、３２０  マスク
１２１、２２１、３２１  マスク本体
３２４  リング部材
１０００、１１００  組み合わせ
【図１】
2005038731.tif 000003
【図２】
2005038731.tif 000004
【図３】
2005038731.tif 000005
【図４】
2005038731.tif 000006
【図５】
2005038731.tif 000007
【図６】
2005038731.tif 000008
【図７】
2005038731.tif 000009
【図８】
2005038731.tif 000010
【図９】
2005038731.tif 000011
【図１０】
2005038731.tif 000012
【図１１】
2005038731.tif 000013
【図１２】
2005038731.tif 000014